(57)【特許請求の範囲】
【請求項１】
ペットの胴体に巻付けて装着され、長手方向を巻付け方向として配置されるペット用おむつであって、
通気性および透液性を有する帯状の表面シートと、
前記表面シートに重ねた状態で接合され、不透液性を有する帯状の裏面シートと、
前記表面シートと裏面シートとの間に配設され、吸液性を有する吸収体と、
前記表面シートの長手方向に沿って延び、前記表面シートの前記裏面シートに臨む面とは反対側の面に接合される基端部と、弾発的に伸縮可能な遊端部とを有する起立片と、
前記長手方向に垂直な幅方向の一端部および他端部であって、前記長手方向の中央部に、前記長手方向に沿って設けられるギャザーと、
前記表面シートの長手方向一端部と前記裏面シートの長手方向他端部とを着脱可能に接合する接合部とを含み、
前記接合部は、表面シートの長手方向一端部に形成される接合部と裏面シートの長手方向他端部に形成される接合部とからなり、当該両接合部のうち一方の接合部は、他方の接合部よりも面積が小さく、
前記長手方向に伸縮可能な伸縮部が前記長手方向中央部に形成され、前記伸縮部の前記長手方向両側に非伸縮部が形成されることを特徴とするペット用おむつ。
【請求項２】
通気性および透液性を有する帯状の表面シートと、前記表面シートに重ねた状態で接合され、不透液性を有する帯状の裏面シートと、前記表面シートと裏面シートとの間に配設され、吸液性を有する吸収体と、前記表面シートの長手方向に沿って延び、前記表面シートの前記裏面シートに臨む面とは反対側の面に接合される基端部および弾発的に伸縮可能な遊端部を有する起立片と、前記長手方向に垂直な幅方向の一端部および他端部であって、前記長手方向の中央部に、前記長手方向に沿って設けられるギャザーと、を含み、前記接合部は、表面シートの長手方向一端部に形成される接合部と裏面シートの長手方向他端部に形成される接合部とからなり、当該両接合部のうち一方の接合部は、他方の接合部よりも面積が小さく、前記長手方向に伸縮可能な伸縮部が前記長手方向中央部に形成され、前記伸縮部の前記長手方向両側に非伸縮部が形成される請求項１記載のペット用おむつを製造するための方法であって、
前記起立片が貼着された表面シート、吸収体、および裏面シートが積層され、ギャザーが形成された状態のシート体を所望の形状に型抜きする工程を含むことを特徴とするペット用おむつの製造方法。
【発明の詳細な説明】
【技術分野】
【０００１】
本発明は、ペット用おむつに関する。
【背景技術】
【０００２】
近年、愛玩動物であるペットを屋内で飼育する人が増加している。ペットはその習性として排尿行為を単に生理現象として行うだけでなく、自らの縄張りを主張するためのマーキングとして行う場合もあるので、ペットを屋内で飼育する場合、部屋の壁面や家具などに排尿がなされ、屋内が汚損されるという問題がある。
【０００３】
このような問題を解決するための従来技術として、たとえば特許文献１には、ペットの臀部を覆うように装着することができるペット用おむつに関する技術が開示されている。特許文献１に記載のペット用おむつは、液透過性のトップシートと、液不透過性のバックシートと、両シート間に内包され、トップシートを透過した液体を吸収する吸収体とを有するおむつ本体と、おむつ本体に取り付けられた止着テープと、装着時に排泄器官の尿道口の向く方向（排泄方向前方）とほぼ平行となるようにおむつ本体に設けられた立体ギャザーとからなる。また、同様の技術は特許文献２にも開示されている。
【０００４】
このような従来技術のペット用おむつを装着したペットが、たとえば雄犬の場合、尿道口から勢いよく尿が排泄されると、ペット用おむつの排泄方向前方から尿が漏れ出しやすい。特に、特許文献１および２に記載の従来技術では、装着時において尿道口の向く方向とほぼ平行に立体ギャザーが設けられているので、後足の付け根部分から両側への尿の漏れ出しは防ぐことができるものの、尿道口が向く方向からの尿の漏れ出しは確実に防ぐことができない。また、長時間の着用によって装着位置がずれた場合には、排泄方向前方からの尿の漏れ出しが生じ易く、排泄方向前方からの尿の漏れ出しを確実に防ぐことができないという問題がある。
【先行技術文献】
【特許文献】
【０００５】
【特許文献１】特開２００４−１５９５９１号公報
【特許文献２】実用新案登録第３０３１３２１号公報
【発明の概要】
【発明が解決しようとする課題】
【０００６】
本発明の目的は、排尿が排泄方向前方から外部に漏れ出すことを確実に防ぐことのできるペット用おむつを提供することである。
【課題を解決するための手段】
【０００７】
本発明は、ペットの胴体に巻付けて装着され、長手方向を巻付け方向として配置されるペット用おむつであって、
通気性および透液性を有する帯状の表面シートと、
前記表面シートに重ねた状態で接合され、不透液性を有する帯状の裏面シートと、
前記表面シートと裏面シートとの間に配設され、吸液性を有する吸収体と、
前記表面シートの長手方向に沿って延び、前記表面シートの前記裏面シートに臨む面とは反対側の面に接合される基端部と、弾発的に伸縮可能な遊端部とを有する起立片と、
前記長手方向に垂直な幅方向の一端部および他端部であって、前記長手方向の中央部に、前記長手方向に沿って設けられるギャザーと、
前記表面シートの長手方向一端部と前記裏面シートの長手方向他端部とを着脱可能に接合する接合部とを含み、
前記接合部は、表面シートの長手方向一端部に形成される接合部と裏面シートの長手方向他端部に形成される接合部とからなり、当該両接合部のうち一方の接合部は、他方の接合部よりも面積が小さく、
前記長手方向に伸縮可能な伸縮部が前記長手方向中央部に形成され、前記伸縮部の前記長手方向両側に非伸縮部が形成されることを特徴とするペット用おむつである。
【０００９】
また本発明は、通気性および透液性を有する帯状の表面シートと、前記表面シートに重ねた状態で接合され、不透液性を有する帯状の裏面シートと、前記表面シートと裏面シートとの間に配設され、吸液性を有する吸収体と、前記表面シートの長手方向に沿って延び、前記表面シートの前記裏面シートに臨む面とは反対側の面に接合される基端部および弾発的に伸縮可能な遊端部を有する起立片と、前記長手方向に垂直な幅方向の一端部および他端部であって、前記長手方向の中央部に、前記長手方向に沿って設けられるギャザーと、を含み、前記接合部は、表面シートの長手方向一端部に形成される接合部と裏面シートの長手方向他端部に形成される接合部とからなり、当該両接合部のうち一方の接合部は、他方の接合部よりも面積が小さく、前記長手方向に伸縮可能な伸縮部が前記長手方向中央部に形成され、前記伸縮部の前記長手方向両側に非伸縮部が形成される請求項１記載のペット用おむつを製造するための方法であって、
前記起立片が貼着された表面シート、吸収体、および裏面シートが積層され、ギャザーが形成された状態のシート体を所望の形状に型抜きする工程を含むことを特徴とするペット用おむつの製造方法である。
【発明の効果】
【００１０】
本発明によれば、起立片は、表面シートの長手方向に沿って延び、表面シートの裏面シートに臨む面とは反対側の面に接合される基端部と、弾発的に伸縮可能な遊端部とを有する。したがって、たとえば索条が緊張された状態で内封されることによって、遊端部が弾発的に伸縮可能である場合などには、ペット用おむつをペットに装着すると、索条の収縮力によって遊端部が基端部よりも収縮する。このことから、起立片が、ペットの排泄器官を排泄方向前方、すなわちペットの頭部側から覆うように起立する。
【００１１】
このような起立片が、表面シートの裏面シートに臨む面とは反対側の面に、表面シートの長手方向に沿って延びて設けられるので、ペットが雄犬である場合に、雄犬の排泄器官の尿道口から排尿がなされても、排出された尿を起立片によってせき止めることができる。したがって、排尿が排泄方向前方から外部に漏れ出すことを防止することができる。
【００１２】
また、起立片によってせき止められた排尿は、吸収体が配設される領域に導かれ、表面シートを透過して吸収体に吸収されるので、排尿を確実に吸収体に吸収させることができる。
【００１３】
また本発明によれば、両接合部のうち一方の接合部は、他方の接合部よりも面積が小さく形成されるので、ペット用おむつを装着した場合における、接合部にかかる引っ張り力を狭い面積に集中して作用させることができ、ペット用おむつの中央部分が自然と凹部となるようにすることができる。また、長手方向に伸縮可能な伸縮部が長手方向中央部に形成され、伸縮部の前記長手方向両側に非伸縮部が形成されるので、ペット用おむつの装着時に、ペット用おむつの中央部分が自然と凹部となるようにすることができる。
【００１４】
このように、装着時にペット用おむつの中央部分を自然と凹部とすることができるので、たとえば、吸収体が前記中央部分に設けられている場合には、尿道口から排泄された排尿を自然と吸収体に導くことができる。したがって、吸収体に排尿を確実に吸収させることができる。また、吸収体が設けられている領域が凹部、すなわちお椀状となっているので、吸収体が設けられる領域が体に接触する面積を小さくすることができ、ペットが排尿を行った場合に不所望にペットの毛が濡れることを防止することができる。
【００１５】
また本発明によれば、表面シート、吸収体、および裏面シートが積層され、ギャザーが形成された状態のシート体を所望の形状に型抜きする工程を含むので、容易に所望の形状のペット用おむつを製造することができる。
【００１６】
また、ギャザーが形成された状態で型抜きを行うので、ギャザーを形成するゴムなどの索条も同時に切断することができ、型抜きを行ってからギャザーを形成する場合よりも製造を容易にすることができる。
【図面の簡単な説明】
【００１７】
【図１】本発明の一実施形態であるペット用おむつ１の正面図である。
【図２】本発明の一実施形態であるペット用おむつ１の背面図である。
【図３】装着状態におけるペット用おむつ１の一部を模式的に示す断面図である。
【図４】ペット用おむつ１の両端部を立上げた状態の斜視図である。
【図５】接合部７ａとして、２つの面状ファスナを形成したペット用おむつ１を示す展開図である。
【図６】ペット用おむつ１をペット９に装着した状態を示す図である。
【図７】表１における胴回りと腰まわりとを説明するための図である。
【図８】図９に示すペット用おむつを模式的に示す図である。
【図９】ペット用おむつをコーン型に巻きつけた場合の図である。
【図１０】本発明の他の実施形態であるペット用おむつ１Ａの正面図である。
【図１１】本発明の他の実施形態であるペット用おむつ１Ａの背面図である。
【図１２】本発明のさらに他の実施形態であるペット用おむつ１Ｂの正面図である。
【図１３】本発明のさらに他の実施形態であるペット用おむつ１Ｂの背面図である。
【図１４】本発明のさらに他の実施形態であるペット用おむつ１Ｃの正面図である。
【図１５】本発明のさらに他の実施形態であるペット用おむつ１Ｃの背面図である。
【発明を実施するための形態】
【００１８】
図１は、本発明の一実施形態であるペット用おむつ１の正面図である。図２は、本発明の一実施形態であるペット用おむつ１の背面図である。図３は、装着状態におけるペット用おむつ１の一部を模式的に示す断面図である。図４は、ペット用おむつ１の両端部を立上げた状態の斜視図である。
【００１９】
ペット用おむつ１は、帯状であって、犬などのペットを屋内で飼育する際に、その長手方向を巻付け方向として、ペットの胴体に巻付けた状態で装着し、使用される。
【００２０】
ペット用おむつ１は、通気性および透液性を有する帯状の表面シート２と、表面シート２に重ねた状態で接合され、不透液性を有する帯状の裏面シート３と、表面シート２と裏面シート３との間に配設され、吸液性を有する吸収体４と、表面シート２の長手方向に沿って延び、表面シート２の裏面シート３に臨む面２ａとは反対側の面２ｂに接合される基端部６ａと、弾発的に伸縮可能な遊端部６ｂとを有する起立片６と、表面シート２の長手方向一端部２０と裏面シート３の長手方向他端部３１とを着脱可能に接合する接合部７とを含む。
【００２１】
表面シート２と裏面シート３とは、表面シート２の長手方向一端部２０の端縁と裏面シート３の長手方向一端部３０の端縁とが重なり、かつ表面シート２の長手方向他端部２１の端縁と裏面シート３の長手方向他端部３１の端縁とが重なるように接合されており、１枚のシート体となるように形成されている。
【００２２】
表面シート２は、通気性および透液性を有するシートであればよく、たとえば合成繊維および再生繊維から成る繊維シートまたは繊維ウェッブの繊維同士を物理的に交絡させて形成される不織布などを用いることができる。本実施の形態では、不織布を用いて形成される。表面シート２は、通気性および透液性を有するシートであるので、表面シート２側から、排尿を吸収体４に導くことができる。
【００２３】
本実施形態において、表面シート２は、帯状のシート体である。より詳細には、本実施形態において表面シート２は、長手方向における両端部に向かうにつれて、幅方向の寸法が短くなるように形成され、その長手方向の寸法Ｌ１が４３ｃｍ、幅方向の最も長い部分の寸法Ｌ２が１７．２ｃｍ、幅方向の最も短い部分の寸法Ｌ３が７ｃｍである。また表面シート２の長手方向両端縁は、幅方向と平行な一直線に形成される。表面シート２の幅方向は、長手方向に垂直な一方向であり、厚み方向は、長手方向および幅方向に垂直な方向である。
【００２４】
表面シート２の寸法Ｌ１〜Ｌ３は、上記数値に限られることはなく、ペット用おむつ１を装着するペットのサイズに合わせて適宜変更されるが、その寸法比はほぼ一定であり、長手方向の寸法、幅方向の最も長い部分の寸法、幅方向の最も短い部分の寸法の比が、だいたい６：２．５：１となるように形成される。
【００２５】
裏面シート３は、不透液性で可撓性を有するシートなどを用いて形成することができ、本実施の形態では、たとえばポリエチレン製のシートが用いられる。また裏面シート３には、不透液性および可撓性に加えて透湿性を有するシートを用いてもよい。このような透湿性をも有するシートを用いることによって、装着時においてペット用おむつ１とペットとの間の湿度の上昇を防ぐことができ、蒸れることによるペットの不快感を低減することができる。
【００２６】
本実施形態において、裏面シート３は、表面シート２と同一の形状および寸法に形成され、表面シート２の厚み方向に積層されて、表面シート２と接合される。より詳細には、裏面シート３は、後述する吸収体４が介在して配設される部分以外の、裏面シート３の表面シート２および吸収体４に臨む面３ａのほぼ全面において、表面シート２の裏面シート３および吸収体４に臨む面２ａと接合される。表面シート２と裏面シート３とが接合された状態において、裏面シート３の長手方向、幅方向および厚み方向は、表面シート２の長手方向、幅方向および厚み方向と一致する。
【００２７】
表面シート２と裏面シート３との接合には、あらゆる公知の方法を用いることができるが、本実施形態では、工業用のりであるたとえばホットメルト接着剤を用いて加圧・加熱することにより、両シート２，３は接合されている。前記工業用のりとしては、モレスコ社製のＴＮ−２６９（商品名）、ＴＮ−２５５（商品名）、ＴＮ−２８８（商品名）などを用いることができる。
【００２８】
吸収体４は、表面シート２と裏面シート３との間に配設され、矩形状で吸液性を有し、吸収した液体を保持する機能を有する。吸収体４は、表面シート２および裏面シート３の長手方向および幅方向における略中央部に配設される。
【００２９】
吸収体４のサイズや吸収能力などは、ペット用おむつが用いられるペットのサイズや種類によって適宜決定されるが、生理現象およびマーキングによるペットの複数回の排尿を十分に吸収し、保持することができるサイズおよび吸収能力であればよい。
【００３０】
吸収体４としては、公知のあらゆる吸水性材料を用いることができる。本実施形態では、吸収体４は、フラッフ状繊維、吸水性ポリマおよび消臭剤を含む。フラッフ状繊維は、たとえばパルプを１ｍｍ以上１０ｍｍ以下の長さに切断した親水性繊維を撹拌して綿状にした綿状パルプを用いることができる。吸収体４は、フラッフ状繊維で形成されるので、吸収体４は繊維間に多数の空隙を有する。したがって、液体を面方向および厚み方向に効率よく移動させて吸収することができる。
【００３１】
吸水性ポリマは、自重の約１０倍以上３００倍以下の水分を吸収してゲル状に凝固する高分子吸収体であり、吸水性ポリマとしては、たとえば抗菌性を有する吸水性ポリマや荷重下通液性を有する吸水性ポリマ等を用いることができる。前記抗菌性を有する吸水性ポリマの例としては商品名サンフレッシュＳＴ−９００Ｅ（サンダイヤポリマー株式会社製）を挙げることができ、荷重下通液性を有する吸水性ポリマとしては、商品名サンウェットＩＭ−９３０（サンダイヤポリマー株式会社製）を挙げることができる。本実施形態では、吸水性ポリマとして、アクリル酸ナトリウム塩およびアクリル酸カリウム塩などの吸水性ポリマに、抗菌剤を電気的に重合させて付着させた抗菌性を有する高機能吸水性ポリマを用いている。このように吸水性ポリマが抗菌性をも有することで、吸収体４における菌の繁殖を抑えることができる。
【００３２】
また、本実施形態では、吸水性ポリマは、吸収体４内に均等に分散されている。このように構成されることによって、ペットの排尿が表面シート２上のいずれの部分から滴下された場合であっても、効率よく排尿を吸収し保持することができる。また、消臭剤を吸収体４内に均等に分散することで、アンモニア臭などの人にとって不快な臭いが外部に漏れ出すのを防ぐことができる。
【００３３】
本実施形態において吸収体４は、長手方向の寸法Ｌ４が１２．５ｃｍ、幅方向の寸法Ｌ５が９．５ｃｍ、厚み方向の寸法Ｌ６が１．０ｃｍである。吸収体４の長手方向、幅方向および厚み方向は、ペット用おむつ１、表面シート２および裏面シート３の長手方向、幅方向および厚み方向と一致する。吸収体４の寸法Ｌ４〜Ｌ６は、上記数値に限られず、ペット用おむつが用いられるペットのサイズや種類によって適宜決定され、前述のように生理現象およびマーキングによるペットの複数回の排尿を十分に吸収し、保持することができるサイズおよび吸収能力であればよい。本実施形態では、吸収体４は、約１７５ｃｃを吸収し保持することができる。
【００３４】
起立片６は、表面シート２の２つの主面（厚み方向における面）のうち、吸収体４と接触しない面２ｂ、すなわち裏面シート３に臨み、吸収体４と接触する面２ａとは厚み方向反対側の面２ｂ上の、表面シート２の幅方向一側部２２寄りの部位に表面シート２の長手方向に沿って設けられる帯状のシート体である。
【００３５】
起立片６は、その幅方向一端部が表面シート２の面２ｂに接合される基端部６ａとして形成され、幅方向他端部が遊端部６ｂとして形成される。起立片６における長手方向および幅方向は、ペット用おむつ１を水平面上に展開して載置した場合において、表面シート２の長手方向および幅方向と一致する。
【００３６】
本実施形態において起立片６は、裏面シート３と同様に不透水性および可撓性を有するシートなどを用いて形成することができ、本実施の形態では、スパンボンド法およびメルトブロー法で製造したポリプロピレン製の複数の不織布を、スパンボンド法で製造した不織布、メルトブロー法で製造した不織布、メルトブロー法で製造した不織布、スパンボンド法で製造した不織布の順で積層させ、防水加工を施した不織布によって形成されている。起立片６は、いわゆる立体ギャザーである。
【００３７】
起立片６の遊端部６ｂには、弾発的に伸縮可能な索条５が表面シート２および裏面シート３に対して長手方向に緊張、すなわち伸長された状態で内封して配設されており、遊端部６ｂは、弾発的に伸縮可能である。したがって、ペット用おむつ１の装着時には、索条５の収縮力によって遊端部６ｂが基端部６ａよりも収縮し、図３および図４に示すように、起立片６が立体的に立ち上げられる。
【００３８】
このように、起立片６が立体的に立ち上がることによって、たとえばペット用おむつ１を、雄犬に装着する場合には、起立片６を排泄器官を排泄方向前方から覆うように起立させ、起立片６と表面シート２との間に雄犬の陰部を挟みこむように装着することができる。したがって、起立片６によって、排泄器官の尿道口が覆われるので、尿道口から排尿を行った場合には、起立片６によって排尿がせき止められ、尿道口の向く方向から排尿が漏れ出すのを防ぐことができる。
【００３９】
また、起立片６によって、せき止められた排尿は、起立片６に沿って吸収体４に導かれることになるので、排尿を吸収体４に確実に吸収させることができる。
【００４０】
索条５は、弾発的に伸縮可能なものであれば、公知のあらゆる素材を用いることができ、本実施形態では細いゴム紐が用いられる。
【００４１】
接合部７は、表面シート２の面２ｂの長手方向一端部２０に設けられる接合部７ａと、裏面シート３の吸収体４と当接する面３ａとは厚み方向反対側の面３ｂの長手方向他端部３１に設けられる接合部７ｂとからなり、表面シート２の長手方向一端部２０と裏面シート３の長手方向他端部３１とを着脱可能に接合する。両接合部７ａ，７ｂを接合することによって、表面シート２の長手方向一端部２０と裏面シート３の長手方向他端部３１とが接合され、ペット用おむつ１をループ状にすることができる。
【００４２】
両接合部７ａ，７ｂは、互いに接合することができるものであればよく、本実施形態では、面状ファスナである。両接合部７ａ，７ｂの大きさや形状などは、互いに接合することができるものであれば、特に限定はされないが、本実施形態では、接合部７ｂの長手方向の寸法Ｌ７は、接合部７ａの長手方向の寸法Ｌ８よりも大きく、接合部７ｂの幅方向の寸法Ｌ１０は、接合部７ａの幅方向の寸法Ｌ９よりも大きく形成される。
【００４３】
より詳細には、接合部７ａは、一辺が２〜３ｃｍの正方形状に形成され、接合部７ｂは、長方形状に形成され、接合部７ｂの長手方向および幅方向の寸法Ｌ７，Ｌ１０は、接合部７ａの一辺の寸法Ｌ８，Ｌ９よりも大きく形成される。すなわち、接合部７ａは、接合部７ｂと比較してその面積が小さくなるように形成される。
【００４４】
図５は、接合部７ａとして、２つの面状ファスナを形成したペット用おむつ１を示す展開図であり、図５（ａ）は、各面状ファスナに均等に引っ張り力が作用した状態を示し、図５（ｂ）は、各面状ファスナに均等に引っ張り力が作用していない状態を示す。接合部７ａの面状ファスナは、２つ以上でもよいが、２つ以上の場合には、２点で接合部７ｂと接合されることになるので、各面状ファスナに均等に引っ張り力を作用させることは難しく、図５（ｂ）に示すように、通常は、面状ファスナ同士に作用する引っ張り力に差が生じ、ペット用おむつを装着した場合に、ゆがみが生じることになる。
【００４５】
したがって、本実施形態では、接合部７ａは、１つの面状ファスナによって形成される。このように、１つの面状ファスナによって形成されることで、ペット用おむつ１を装着した場合に、ゆがみが生じることを防ぐことができ、きれいに装着することができる。
【００４６】
このように、接合部７ｂの各寸法Ｌ７，Ｌ１０が接合部７ａの各寸法Ｌ８，Ｌ９よりも大きいことによって、装着対象のペットの胴回りが多少異なる場合であっても、接合部７ｂに接合部７ａを接合させてペット用おむつ１をペットの胴部に最適な締付け強さで装着することができ、ペット用おむつ１の汎用性を高めることができる。
【００４７】
また、接合部７ａは、正方形状に形成され、接合部７ｂの長手方向および幅方向の寸法Ｌ７，Ｌ１０は、接合部７ａの各辺の寸法Ｌ８，Ｌ９よりも大きく形成されているので、ペット用おむつ１を装着した場合における、接合部７にかかる引張り力を狭い面積に集中して作用させることができる。
【００４８】
また、接合部７ａの一辺が長い場合には、接合部７にかかる引っ張り力の差が部分によって生じてしまい、ペット用おむつ１を装着した場合に、ゆがみが生じ、きれいに装着することができない。しかし、本実施形態では、接合部７ａの一辺の寸法が２〜３ｃｍと短く形成されているので、前述のように接合部７にかかる引張り力を狭い面積に集中して作用させることができるとともに、接合部７全体に均等に引張り力を作用させることができる。したがって、ペット用おむつ１を装着した場合に、ゆがみが生じず、きれいに装着することができる。
【００４９】
ペット用おむつ１には、幅方向一端部および幅方向他端部であって、長手方向中央部にギャザー８が形成される。ギャザー８は、長手方向に沿うように形成される。ギャザー８は、前述の起立片６と同様の構成であって、不透水性で可撓性を有するシートに弾発的に伸縮可能な索条が、緊張した状態で内封して配設されており、当該索条が収縮する際の収縮力によって、シートが収縮し、ギャザー８が形成されている。
【００５０】
ギャザー８は、ペット用おむつ１の長手方向中央部、より詳細には、ペット用おむつ１の長手方向一端縁から長手方向寸法の３分の１の領域とペット用おむつ１の長手方向他端縁から長手方向寸法の３分の１の領域との間に形成される。すなわち、ギャザー８は、ペット用おむつ１の長手方向中央部であって、ペット用おむつ１の長手方向寸法の３分の１の領域にのみ形成される。このように本実施形態のペット用おむつ１には、ギャザー８が形成された長手方向に伸縮可能な伸縮部と、伸縮部の長手方向両側に索条が内封されておらず伸縮しない非伸縮部とが形成される。
【００５１】
本実施形態ではシートが、熱風不織布（ＲＮＰ社製、商品名：ＤＥ−２０）によって形成され、索条が細いゴム紐によって形成されている。
【００５２】
図６は、ペット用おむつ１をペット９に装着した状態を示す図である。図６に示すように、ペット用おむつ１は、表面シート２をペット９に対向させた状態で、長手方向がペット９の胴回りおよび腰まわりに沿うようにペット９の胴体に巻きつけ、接合部７ａ，７ｂを重ね合わせて接合することによってペット９の胴体に固定されて装着される。装着時において、ペット用おむつ１の巻き付け方向は、ペット９の胴回りに沿う方向と一致する。
【００５３】
また、ペット用おむつ１は、幅方向両端部のうち、起立片６が形成される側の端部が、ペット９の頭部側に向き、起立片６が形成されない側の端部が、ペット９の臀部側に向くようにし、さらに起立片６が、ペット９の陰部よりも頭部側に位置するように配置されて装着される。
【００５４】
ペット９に装着された状態においてペット用おむつ１は、表面シート２の面２ｂがペット９に当接し、表面シート２のうちその下部に吸収体４が配設される領域が、ペット９の陰部を含む腹部に接触するように使用される。
【００５５】
また、ペット９に装着された状態では、起立片６も表面シート２および裏面シート３とともにペット９の胴回りに沿うように湾曲して巻きつけられるので、起立片６の遊端部６ｂに内封された索条５が収縮する。したがって、図３に示すように起立片６が立体的に立ち上がった状態となる。
【００５６】
このように、起立片６が立体的に立ち上がることによって、たとえばペット用おむつ１を、雄犬に装着する場合には、起立片６をペットの排泄器官を排泄方向前方から覆うように起立させ、起立片６と表面シート２との間に雄犬の陰部を挟みこむように装着することができる。
【００５７】
また、起立片６が立ち上がる際には、索条５の収縮にともない起立片６が胴部に沿って弧状に湾曲するので、湾曲部分がペット９の陰部に引掛かることによって、ペット９が動いた場合であっても、ペット用おむつ１を位置ずれしにくくすることができる。
【００５８】
また、ペット用おむつ１の幅方向一端部および幅方向他端部であって、長手方向中央部には、長手方向に沿うようにギャザー８が形成され、長手方向に伸縮可能な伸縮部が形成されている。また、伸縮部の長手方向両側には、ギャザー８が形成されず、伸縮しない非伸縮部が形成されている。このように伸縮部と非伸縮部とが形成されているので、装着時にペット用おむつ１の中央部分、すなわち吸収体４が設けられている領域が自然と凹部となり、吸収体４が保持しやすい形状となっている。
【００５９】
また、前述のように、ペット用おむつ１を装着した場合における、接合部７にかかる引っ張り力を狭い面積に集中して作用させることができるので、ギャザー８のみが形成される場合よりも、装着時にペット用おむつ１の中央部分、すなわち吸収体４が設けられている領域が、より自然と凹部となるようにすることができる。
【００６０】
このように、吸収体４が設けられている領域が凹部、すなわちお椀状となるので、装着時にペットの排泄器官を包み込むように、ペット用おむつ１を装着させることができ、尿道口から排泄された排尿を自然と吸収体４に導くことができる。したがって、吸収体４に排尿を確実に吸収させることができる。また、吸収体４が設けられている領域がペットの腹部に対して離反する方向に凸に湾曲した、いわばお椀状となるので、吸収体４が設けられる領域が体に接触する面積を小さくすることができ、ペットが排尿を行った場合に、不所望にペットの毛が排泄した尿に付着して濡れることを防止することができる。
【００６１】
下記の表１は、複数の犬について、犬の種類（犬種）と、その年齢、体重、サイズ、胴まわりの寸法、腰まわりの寸法をまとめた表である。図７は、表１における胴まわりと腰まわりとを説明するための図である。
【００６２】
表１に示す、胴まわりの寸法は、図７に記載のように、犬の首の付け根部分Ｘから後足の付け根部分Ｙまでの距離において、後足の付け根部分Ｙから首の付け根部分Ｘに向かって、前記距離Ｘ−Ｙの３分の１だけ移動した部分における胴まわりの寸法である。また、表１に示す腰まわりの寸法とは、図７に記載のように、後足の付け根部分Ｙにおける腰まわりの寸法である。図７において、Ｚ１、Ｚ２、Ｚ３の距離は等しく、Ｘ−Ｙ間の距離を３等分した距離である。
【００６３】
【表１】
0005969175.tif 000002
【００６４】
表１に示すように、犬種、年齢、体重およびサイズの異なる全ての犬において、胴まわりの寸法と腰まわりの寸法とは一致することがなく、どちらか一方の寸法が他方の寸法よりも大きい。したがって、ペット用おむつ１の装着時において、ペット用おむつ１を尻尾側から頭部側にかけて径が大きくなる、または頭部側から尻尾側にかけて径が大きくなるコーン型に容易に巻きつけることができる。なお、胴まわりの寸法と腰まわりの寸法が同一である場合であっても、コーン型に巻きつけることは当然可能である。
【００６５】
図８は、図９に示すペット用おむつを模式的に示す図であり、図８（ａ）は、図９（ａ）に示すペット用オムツ１００を示し、図８（ｂ）は、図９（ｂ）に示すペット用おむつ１を示す。図９は、ペット用おむつをコーン型に巻きつけた場合の図であり、図９（ａ）は、矩形状のペット用おむつ１００を犬にコーン型に巻きつけた状態を示し、図９（ｂ）は、本実施形態のペット用おむつ１を犬にコーン型に巻きつけた状態を示す図である。
【００６６】
図９（ａ）に示すように、矩形状のペット用おむつをコーン型に巻きつけた場合には、その角部が突出してしまい、きれいに巻きつけることができない。これに対して、本実施形態のペット用おむつ１は、長手方向における両端部に向かうにつれて、幅方向の寸法が短くなるように形成されているので、図９（ｂ）に示すように、本実施形態のペット用おむつ１をコーン型に巻きつけた場合に、角部が突出してしまうことがなく、きれいに巻きつけることができる。
【００６７】
また、接合部７ｂの長手方向の寸法Ｌ７は、接合部７ａの長手方向の寸法Ｌ８よりも大きく、接合部７ｂの幅方向の寸法Ｌ１０は、接合部７ａの幅方向の寸法Ｌ９よりも大きく形成されており、接合部７ａを接合部７ｂの中央部付近に配置しなくても接合することができるので、装着時においてペット用おむつ１を尻尾側から頭部側にかけて径が大きくなる、いわゆるコーン型に巻きつけることができる。
【００６８】
たとえば、一般には、犬の胴体は、腹部側がもっとも大きく、臀部に向かうにつれて細くなるので、前述のようにコーン型に巻きつけ可能なことによって、犬の体型に合わせた状態でペット用おむつ１を装着することができ、排尿の漏れ出しをより効果的に防止することができる。
【００６９】
このようなペット用おむつ１は、表面シート２に起立片６を貼着する工程と、裏面シート３に接合部７ｂを形成する工程と、起立片６が貼着された表面シート２と吸収体４と接合部７ｂが形成された裏面シート３とを積層して貼り合わせるとともにギャザー８を形成する工程と、両シート２，３および吸収体４が積層されたシート体の型を抜く工程と、型抜きされたシート体を個々のペット用おむつ１に切断する工程とを経て製造される。
【００７０】
本実施形態における、シート体の型を抜く工程では、ペット用おむつ１がその長手方向における両端部に向かうにつれて、幅方向の寸法が短くなり、長手方向両端縁が、幅方向と平行な一直線となる形状に型抜きが行われる。
【００７１】
また、表面シート２に起立片６を貼着する方法、裏面シート３に接合部７ｂを形成する方法、起立片６が貼着された表面シート２と吸収体４と接合部７ｂが形成された裏面シート３を積層して貼り合わせるとともにギャザー８を形成する方法、両シート２，３および吸収体４が積層されたシート体の型を抜く方法と、型抜きされたシート体を個々のペット用おむつ１に切断する方法の各方法には、公知のあらゆる方法を用いることができる。
【００７２】
このように、両シート２，３および吸収体４が積層され、起立片６およびギャザー８が形成された状態で、所望の形状に型抜きを行うので、容易に所望の形状のペット用おむつ１を製造することができる。また、ギャザーが形成された状態で型抜きを行うので、ギャザーを形成するゴム紐などの索条も同時に切断することができ、型抜きを行ってからギャザーを形成する場合よりも製造を容易にすることができる。
【００７３】
また、このように両シート２，３および吸収体４が積層され、起立片６およびギャザー８が形成された状態で、所望の形状に型抜きを行うので、前述のようにペット用おむつ１の長手方向一端縁から長手方向寸法Ｌ１の３分の１の領域とペット用おむつ１の長手方向他端縁から長手方向寸法Ｌ１の３分の１の領域とを索条が内封されず（ギャザー８が形成されず）、伸縮しない非伸縮部として形成し、ペット用おむつ１の長手方向中央部であって、前記両領域の間の領域を伸縮部として形成することが容易に可能である。
【００７４】
図１０は、本発明の他の実施形態であるペット用おむつ１Ａの正面図である。図１１は、本発明の他の実施形態であるペット用おむつ１Ａの背面図である。ペット用おむつ１Ａは、ペット用おむつ１と略同一に構成されるので、対応する部分については、それぞれ同一の参照符を付し、重複する説明は省略する。ペット用おむつ１Ａは、表面シート２Ａおよび裏面シート３Ａの形状が、前述の実施形態のペット用おむつ１の表面シート２および裏面シート３の形状と相違する。
【００７５】
表面シート２Ａおよび裏面シート３Ａは、その長手方向両端縁が、幅方向と平行な一直線に形成されるのではなく、弧状に形成される。このような形状であっても、前述のペット用おむつ１と同様の効果を奏することができる。
【００７６】
図１２は、本発明のさらに他の実施形態であるペット用おむつ１Ｂの正面図である。図１３は、本発明のさらに他の実施形態であるペット用おむつ１Ｂの背面図である。
ペット用おむつ１Ｂは、ペット用おむつ１と略同一に構成されるので、対応する部分については、それぞれ同一の参照符を付して重複する説明は省略する。ペット用おむつ１Ｂは、起立片６Ｂが、前述の実施形態のペット用おむつ１の起立片６と相違する。
【００７７】
本実施形態のペット用おむつ１Ｂでは、起立片６Ｂが表面シート２の２つの主面（厚み方向における面）のうち、吸収体４と接触しない面２ｂ、すなわち裏面シート３に臨み、吸収体４と接触する面２ａとは厚み方向反対側の面２ｂ上の、表面シート２の幅方向一側部２２寄りの部位および幅方向他側部２３寄りの部位に、表面シート２の長手方向に沿って設けられる。
【００７８】
このように、起立片６Ｂが表面シート２の幅方向一側部２２寄りの部位および幅方向他側部２３寄りの部位にそれぞれ設けられるので、表面シート２の幅方向一側部２２または幅方向他側部２３のいずれの側部をペットの頭部側に位置するように装着しても、頭部側に配置される一方の起立片６Ｂと表面シート２との間に雄犬の陰部を挟みこむように装着することができる。
【００７９】
したがって、いずれの向きであっても装着することができるので、ペットに装着する際に、ペット用おむつ１Ｂの装着向きを確認する必要がなくなり、ペットへの装着をより容易に行うことができる。
【００８０】
図１４は、本発明のさらに他の実施形態であるペット用おむつ１Ｃの正面図である。図１５は、本発明のさらに他の実施形態であるペット用おむつ１Ｃの背面図である。
【００８１】
ペット用おむつ１Ｃは、ペット用おむつ１Ｂと略同一に構成されるので、対応する部分については、それぞれ同一の参照符を付し、重複する説明は省略する。ペット用おむつ１Ｃは、表面シート２Ｃおよび裏面シート３Ｃの形状が、前述の実施形態のペット用おむつ１Ｂの表面シート２および裏面シート３の形状と相違する。
【００８２】
本実施形態のペット用おむつ１Ｃでは、表面シート２Ｃおよび裏面シート３Ｃは、その長手方向両端縁が、幅方向と平行な一直線に形成されるのではなく、弧状に形成される。このような形状であっても、前述のペット用おむつ１Ｂと同様の効果を奏することができる。
【００８３】
前記ペット用おむつ１，１Ａ，１Ｂ，１Ｃの使用例として、ペット用のおむつについて説明を行ったが、使用例はペット用のおむつに限られず、たとえば愛玩動物や人の創傷部位を覆い、保護する被覆材としても使用可能である。創傷部位としては、たとえば踵や肘などが挙げられる。
【００８４】
創傷部位に用いられる場合には、創傷部位に医療用パッドをあて、当該パッドを医療用フィルムで固定し、その上にペット用オムツ１，１Ａ，１Ｂ，１Ｃを固定して使用する。このように固定されることによって、創傷部位の調湿を行うことができるとともに、当該部位に対する衝撃を緩衝することができる。
【００８５】
また、吸収体４が創傷部位を覆う位置で固定して使用することによって、医療用パッドおよび医療用フィルムから漏れ出した体液や当該部位に塗布した薬品などの液体を、吸収体４によって吸収することができるので、当該液体による室内の床面などの汚損を防ぐことができる。
【００８６】
また、創傷部位を動かすことによって、医療用パッドや吸収体４などの位置が創傷部位から多少ずれた場合であっても、起立片６，６Ｂによって、外部への体液などの液体の漏れ出しを防ぐとともに、吸収体４に体液などの液体を導くことができる。したがって、創傷部位を動かす場合であっても、動かさない場合と同様に体液などの液体による室内の床面などの汚損を防ぐことができる。
【符号の説明】
【００８７】
１  ペット用おむつ
２  表面シート
３  裏面シート
４  吸収体
５  索条
６  起立片
７  接合部
８  ギャザー
９  ペット
【図１】
0005969175.tif 000003
【図２】
0005969175.tif 000004
【図３】
0005969175.tif 000005
【図４】
0005969175.tif 000006
【図５】
0005969175.tif 000007
【図６】
0005969175.tif 000008
【図７】
0005969175.tif 000009
【図８】
0005969175.tif 000010
【図９】
0005969175.tif 000011
【図１０】
0005969175.tif 000012
【図１１】
0005969175.tif 000013
【図１２】
0005969175.tif 000014
【図１３】
0005969175.tif 000015
【図１４】
0005969175.tif 000016
【図１５】
0005969175.tif 000017